(57)【要約】【課題】バイプレーン透視撮影ができるＣアームの２式の装置を、術者が間違いなく識別して、安全に操作ができるＸ線診断装置を提供する。【解決手段】床から保持されたＣアーム１１の両端にＸ線管６と表示灯１２を設けた受像系７（正面系）と、天井から保持されたＣアーム１０の両端にＸ線管８と表示灯１３を設けた受像系９（側面系）とが、寝台１５の天板１５ａ上に載せられた被検者１６の患部を中心にしてセットされ、術者が操作コンソール１の正面系切替スイッチ２および側面系切替スイッチ３をＯＮすると、表示灯１２および表示灯１３が点灯する。術者はそれを確認して透視を行い、天井から懸垂されたモニタ１４の透視画像を観察しながら、カテーテル操作を行う。【選択図】          図１
2004181115.tif 000002
【特許請求の範囲】
【請求項１】
被検者へ向けてＸ線を曝射するＸ線管装置と、被検者を透過して形成されるＸ線像を映像信号に変換する受像系とからなるシステムを２式備えるとともに、これら両システムを動作させる操作コンソール及びこの操作コンソールにおける操作スイッチを設け、被検者に対して２方向のＸ線画像を得るようにしたバイプレーンのＸ線診断装置において、前記２式のシステムの受像系もしくはＸ線管装置もしくはＣアームにそれぞれ表示灯を設け、前記操作コンソールのシステム側のスイッチを操作することによって、前記表示灯を点灯させるように構成したことを特徴とするＸ線診断装置。
【請求項２】
操作コンソールのスイッチを正面系システムのみを選択した場合と、側面系システムのみを選択した場合に、前記表示灯の点灯色を異なる色になるようにしたことを特徴とする請求項１記載のＸ線診断装置。
【請求項３】
操作コンソールのスイッチの１式のシステムのみを選択した場合と、２式のシステムを同時選択した場合に、前記表示灯の点灯色を異なる色になるようにしたことを特徴とする請求項１記載のＸ線診断装置。
【発明の詳細な説明】
【０００１】
【発明の属する技術分野】
本発明は、Ｘ線管装置（以下、Ｘ線管という）と被検者を透過して形成されるＸ線像を映像信号に変換する受像系とを備えたＸ線診断装置に係わり、特に、心血管および頭腹部下肢血管撮影に用いられ、被検者に対して２方向のＸ線画像を得るようにしたバイプレーンのＸ線診断装置に関する。
【０００２】
【従来の技術】
心血管撮影システムと頭腹部下肢血管撮影システムでは、その撮影部位および目的により使用する受像系サイズ（Ｉ．Ｉ．やフラットパネルなど）が異なることや、フイルムチェンジャの有無など、一つのＣアーム形保持装置で両者の目的を満たすことが難しい。そこで２つのＣアーム形保持装置を組み合わせた検査室を構成し、目的に応じて切り替えて、または、同時に使用することが行われている。また、心血管撮影では、１回の造影剤注入で同位相で２方向から撮影（２方向同時撮影：バイプレーン撮影）を行うことにより、造影剤の総注入量を減らし、検査時間を短縮して被検者の負担を軽減している。
【０００３】
図３に、心血管撮影用のバイプレーンのＸ線診断装置の構成を示す。被検者１６がカテーテル検査用の寝台１５で、片持ち保持機構の天板１５ａ上に載せられる。Ｃアーム１１は被検者１６の頭部方向に設置された床置き保持装置、または天井走行保持装置に支持され、そのＣアーム１１の両端にはＸ線管６と受像系２７からなる映像系（正面系）が取り付けられている。また、Ｃアーム１０は天井走行保持装置に支持され、そのＣアーム１０の両端にはＸ線管８と受像系２９からなる映像系（側面系）が取り付けられ、両Ｃアーム１１、１０の回転中心が、天板１５ａ上の被検者１６の心臓位置になるようにセットされ、異なる２方向からＸ線が照射できるようにされる。上記の２式の支持機構は、それぞれ独立または同時に動作させて、いろいろな角度から被検者１６にＸ線を照射することができ、支持機構のどちらか一方又は同時に動作させるかは、操作コンソール２１に設けられた正面系切替スイッチ２２（Ｆ）および側面系切替スイッチ２３（Ｌ）で行われ、各部の操作は操作ボタン２４および操作ボタン２５で行われる。そして、術者は被検者１６の近傍に位置し、天井から懸垂された観察用のモニタ１４で２方向からの透視画像を観察しながら、カテーテル挿入操作を行う。
【０００４】
上記の装置において、２方向からのいずれでも透視ができ、その透視により２方向のいずれについても部位やタイミングを確認しながら撮影できるＸ線診断装置がある（例えば、特許文献１参照。）。
このＸ線診断装置は、Ｘ線管６と受像系２７による正面の映像系と、Ｘ線管８と受像系２９による側面映像系とを備え、高電圧装置によりそれらのＸ線管６、８の選択的なＸ線曝射を行い、入力選択器でそれに応じたビデオ信号の選択を行い、選択されたビデオ信号をＡ／Ｄ変換器でデジタル変換し、画像メモリに取り込み、Ｄ／Ａ変換器で再びアナログビデオ信号に変換し、モニタ１４に表示するものである。
【０００５】
また、心血管撮影では、冠状動脈の描出や心室の形態診断、特に先天性心血管異常の検査のために、多方向からの斜入撮影が行われる。床置のＣアーム１１の保持装置では、ＲＡＯ（第１斜位、右前斜位：ｒｉｇｈｔ  ａｎｔｅｒｉｏｒ  ｏｂｌｉｅｑｕｅ）１１０°〜ＬＡＯ（第２斜位、左前斜位：ｌｅｆｔ  ａｎｔｅｒｉｏｒ  ｏｂｌｉｑｕｅ）１１０°、ＣＲＡ（頭部方向：ｃｒａｎｉａｌ）４５°〜ＣＡＵ（尾部方向：ｃａｕｄａｌ）３５°まで角度づけができ、一方、天井走行式のＣアーム１０の保持装置では、ＬＡＯ１２０°〜０°（正面）、ＣＲＡ／ＣＡＵ４５°間での角度で撮影が可能である。このようにＣアーム形保持装置で多方向から撮影し、冠状動脈の重なりを避けて、なるべく血管走行と平行になるような角度づけを行う。このとき、Ｃアーム１０、１１双方のＸ線ビームの回転中心（アイソセンタ）に被検者１６の心臓位置を設定すると、Ｃアーム１０、１１の回転により心臓が画像中心からずれることなく撮影を行うことができる。
【０００６】
【特許文献１】
特開平７−１４８１４４号公報  （第４頁、第１図）
【０００７】
【発明が解決しようとする課題】
従来のＸ線診断装置は以上のように構成されているが、２式の支持機構は、それぞれＸ線管６、８と受像系２７、２９を支持し、そして、被検者１６に接近させて両装置がセットされ、透視撮影が行われる。操作コンソール２１で正面系切替スイッチ２２および側面系切替スイッチ２３を切り替えても、実際に装置を動かすときは、操作コンソール２１ではなく装置本体を見ながら動かすため、そのとき、どちらの装置が動くかが認識しがたいという問題がある。また、術者が操作コンソール２１の正面系切替スイッチ２２と側面系切替スイッチ２３の切り替えを間違えることがある。その場合、予期しない側の支持機構が動き出し、危険を伴うという問題がある。
【０００８】
本発明は、このような事情に鑑みてなされたものであって、天井もしくは床から支持された２式のＣ型アーム保持装置に、Ｘ線管と受像系が取り付けられ、２方向から透視撮影ができる２式の装置を、術者が間違いなく識別して、安全に操作ができるＸ線診断装置を提供することを目的とする。
【０００９】
【課題を解決するための手段】
上記の目的を達成するため、本発明のＸ線診断装置は、被検者へ向けてＸ線を曝射するＸ線管装置と、被検者を透過して形成されるＸ線像を映像信号に変換する受像系とからなるシステムを２式備えるとともに、これら両システムを動作させる操作コンソール及びこの操作コンソールにおける操作スイッチを設け、被検者に対して２方向のＸ線画像を得るようにしたバイプレーンのＸ線診断装置において、前記２式のシステムの受像系もしくはＸ線管装置もしくはＣアームにそれぞれ表示灯を設け、前記操作コンソールのシステム側のスイッチを操作することによって前記表示灯を点灯させるように構成したものである。
【００１０】
また、本発明のＸ線診断装置は、操作コンソールのスイッチを正面系システムのみを選択した場合と、側面系システムのみを選択した場合に、前記表示灯の点灯色を異なる色になるようにしたものである。
【００１１】
また、本発明のＸ線診断装置は、操作コンソールのスイッチの１式のシステムのみを選択した場合と、２式のシステムを同時選択した場合に、前記表示灯の点灯色を異なる色になるようにしたものである。
【００１２】
本発明のＸ線診断装置は上記のように構成されており、バイプレーン透視撮影のための２式のシステムの装置（受像系もしくはＸ線管装置もしくはＣアーム）に、それぞれ動作表示灯を設け、操作コンソールで動作させるシステム側のスイッチを操作することによって、動作側の装置（受像系もしくはＸ線管装置もしくはＣアーム）の表示灯を点灯させるものである。それによって術者はどちらの装置が動作可能、もしくは動作中であるかを認識する。
また、操作コンソールのスイッチを正面系システムのみを選択した場合と、側面系システムのみを選択した場合に、装置の表示灯の点灯色を異なる色になるようにして、術者が異なる色を見ることで、どちらの装置が動作可能、もしくは動作中であるかを認識する。
また、操作コンソールのスイッチの１式のシステムのみを選択した場合と、２式のシステムを同時選択した場合に、装置の表示灯の点灯色を異なる色になるようにして、術者が異なる色を見ることで、動作可能、もしくは動作中の装置が、片側の装置のみか、両方の装置かを認識する。
【００１３】
【発明の実施の形態】
本発明のＸ線診断装置の一実施例を、図１を参照しながら説明する。図１は本発明のＸ線診断装置の構成を示す図である。
本Ｘ線診断装置は、Ｃアーム１１に保持され、寝台１５の天板１５ａ上の被検者１６へ向けてＸ線を曝射するＸ線管６と、それに対向して配置され被検者１６を透過して形成されるＸ線像を映像信号に変換し、外部に動作中の表示灯１２を設けた受像系７とからなるシステムと、Ｃアーム１０に保持され、同じ寝台１５の天板１５ａ上の被検者１６へ向けてＸ線を曝射するＸ線管８と、それに対向して配置され被検者１６を透過して形成されるＸ線像を映像信号に変換し、外部に動作中の表示灯１３を設けた受像系９とからなるシステムと、前記両システムを操作する操作コンソール１と、天井から懸垂され透視画像および撮影画像を表示する複数のモニタ１４とから構成される。
【００１４】
本Ｘ線診断装置は、被検者１６に対して２方向のＸ線画像を得るようにしたバイプレーンのＸ線診断装置であって、Ｃアーム１１およびＣアーム１０に保持された２式のシステムの受像系７および受像系９、もしくはＸ線管６およびＸ線管８、もしくはＣアーム１１およびＣアーム１０にそれぞれ動作中であることを知らせる表示灯１２および表示灯１３を設け、両システムを操作する操作コンソール１で正面系切替スイッチ２（Ｆ）および側面系切替スイッチ３（Ｌ）を「ＯＮ」して、各システムを動作させることによって表示灯１２および表示灯１３を点灯させる。これにより術者はどちらのシステムが動作中であるかを識別することができる。
【００１５】
次に、本Ｘ線診断装置の各構成部について説明をする。
表示灯１２および表示灯１３は、２式のシステムのそれぞれに、術者が容易に識別できる外部に設けられる。図１では、受像系７および受像系９の外部に設けられている。そして、表示灯１２および表示灯１３は操作コンソール１の正面系切替スイッチ２（Ｆ）および側面系切替スイッチ３（Ｌ）の信号によって点灯し、点灯しているシステムが動作中であることを示す。２システム同時に動かす場合は、両方のスイッチが選択され、両方の表示灯１２、１３が点灯する。
また、Ｃアーム１１およびＣアーム１０に保持された２式の映像系は、様々な角度、位置に移動するため、一ヶ所づつの表示では見がたい場合は、１式に付き複数の表示灯１２および表示灯１３を設けてもよい。
また、操作コンソール１でスイッチが選択されていても、インターロックなどで動作禁止としている場合は、消灯するようにしても良い。
【００１６】
正面側面からの２方向同時撮影（バイプレーン撮影）では、正面系のＣアーム１１に取り付けられた映像系（Ｘ線管６と受像系７）と、側面系のＣアーム１０に取り付けられた映像系（Ｘ線管８と受像系９）で行われ、一般に、操作する空間を有効に利用するために、正面系のＣアーム１１と側面系のＣアーム１０のいずれか一方を、天井懸垂走行型の保持装置に保持させ、他方を床置き保持装置に保持させて行われ、そのとき両システムともＸ線管６およびＸ線管８は、天板１５ａの下部および側面にセットされ、アンダーチューブ状態で使用される。そのため表示灯１２および表示灯１３は、天板１５ａより上部にセットされる受像系７および受像系９に取り付けられる。オーバチューブ状態で使用される場合は、Ｘ線管６およびＸ線管８の外部に表示灯を設けても良い。また、どちらの状態でも表示灯１２および表示灯１３を、受像系７および受像系９とＸ線管６およびＸ線管８の両方に設けても良い。また、Ｃアーム１１およびＣアーム１０に設けても良い。
【００１７】
また、表示灯１２、１３は、図２に示したように、２式のシステムの表示灯１２および表示灯１３を異なる色にしてもよい。図２は正面系の表示灯１２と側面系の表示灯１３が、操作コンソール１の正面系切替スイッチ２および側面系切替スイッチ３を選択したとき、点灯させる色を示したものである。
正面系切替スイッチ２のみを「ＯＮ」したときは、正面系の表示灯１２のみが青色で点灯し、側面系の表示灯１３は点灯しない。また、側面系切替スイッチ３のみを「ＯＮ」したときは、側面系の表示灯１３のみが黄色で点灯し、正面系の表示灯１２は点灯しない。また、両系の正面系切替スイッチ２と側面系切替スイッチ３の両方を「ＯＮ」した場合は、表示灯１２および表示灯１３は共に同一色で、緑色で点灯する。このように２式の点灯色を異なる色にし、さらに操作コンソール１の正面系切替スイッチ２、側面系切替スイッチ３の点灯色や各支持機構の関連したスイッチなど（操作ボタン４、操作ボタン５など）も同系色にしておけば、さらに認識が容易となる。
また、両系の正面系切替スイッチ２と側面系切替スイッチ３の両方を「ＯＮ」した場合、１式のみの時と異なる色で２式とも点灯するようにしておけば、一方の表示灯１２（または表示灯１３）を見るだけで、２式同時に選択されていることが認識できる。
【００１８】
Ｘ線管６およびＸ線管８は、大容量Ｘ線管が用いられ、陽極蓄積熱容量が１，０００〜３，０００ｋＨＵ、５００〜１，０００ｍＡ、２０〜４０秒の長時間、連続パルスＸ線仕様のものが用いられ、外付け熱交換器を備えており、容積も大きく重くなる。そのためＣアーム１１、１０の操作も、表示灯１２および表示灯１３を確認して行われる。
操作コンソール１は、通常、寝台１５の周囲に設置される。操作コンソール１はバイプレーン操作が容易なように、正面系切替スイッチ２と側面系切替スイッチ３が設けられ、正面系システム用の操作ボタン４と側面系システム用の操作ボタン５によって、各システムのＣアーム１１、１０の操作（回転／Ｃアーム走行）、受像系７、９の前後動の操作、天板１５ａのフローティングの操作、Ｘ線条件の設定などが行われる。外部にインバータ方式の高電圧制御回路を設け、パルスＸ線による透視が行われる。
受像系７および受像系９は、Ｉ．Ｉ．（イメージインテンシファイア）とＣＣＤを用いたＴＶカメラで構成され、心血管検査では、９インチサイズのＩ．Ｉ．を使用し、ほかの全身の検査、例えば、腹部下肢血管撮影では１２インチサイズもしくは１６インチのＩ．Ｉ．が使用される。頭部撮影の場合は２倍程度の拡大が必要となり、受像系７、９をＣアーム１１、１０の端部で後方に移動させ、いろいろな角度で透視撮影が行われ、ＩＶＲによる治療などが行われる。このように、Ｃアーム１１およびＣアーム１０を動かしたり、受像系７および受像系９を前後に動かしてセットしなければならないので、どちらのシステムが「ＯＮ」の状態であるかを、操作者および術者が、表示灯１２および表示灯１３を確認して操作が行われる。ここではＩ．Ｉ．を用いた実施例で説明したが、フラットパネルのＦＰＤのＸ線像検出部を用いたシステムでも同様に表示灯１２および表示灯１３を設けて使用する。
モニタ１４は、術者が見やすい位置に、天井から懸垂された台に、２台〜４台のモニタ１４が設けられ、正面系の透視画像と側面系の透視画像が表示される。特に、心血管検査時には、心電波形などの生体信号をモニタ１４に表示して、透視画像と生体信号波形を常に観察しながら、カテーテル挿入と造影剤の注入が行われる。
【００１９】
【発明の効果】
本発明のＸ線診断装置は上記のように構成されており、正面側面２方向同時撮影のためのＣアームで構成されるそれぞれの装置に、点灯色の異なる表示灯が設けられ、操作コンソールで動作させるシステム側のスイッチを操作すると、術者はどちらの装置が動作可能、もしくは動作中であるかを、装置の表示灯が点灯しているのを見ることによって、さらに、異なる点灯色を見ることによって、容易に認識することができる。これにより、装置本体を見ながら動かすときに、従来から問題となっていた「どちらの装置が動くか」という確認も、表示灯をみるだけで識別できる。また、術者が操作コンソールのスイッチの切り替えを間違えても、事前に、表示灯を確認することで正常な検査状態に再セットすることができる。
このように各装置に動作表示灯をつけ、その点灯色を両装置に対して異なる色にすることで、術者は容易に装置の動作を確認でき、安全性を向上させることができる。
【図面の簡単な説明】
【図１】本発明のＸ線診断装置の一実施例を示す図である。
【図２】本発明のＸ線診断装置の表示灯の点灯色を示す図である。
【図３】従来のバイプレーンによるＸ線診断装置の構成を示す図である。
【符号の説明】
１、２１  操作コンソール
２、２２  正面系切替スイッチ
３、２３  側面系切替スイッチ
４、５、２４、２５  操作ボタン
６、８  Ｘ線管
７、９、２７、２９  受像系
１０、１１  Ｃアーム
１２、１３  表示灯
１４  モニタ
１５  寝台
１５ａ  天板
１６  被検者
【図１】
2004181115.tif 000003
【図２】
2004181115.tif 000004
【図３】
2004181115.tif 000005